(57)【要約】ブレード開閉構造を有するダンパーに取り付けられ、ダンパーのブレードを開閉させるダンパー開閉器およびそれを含むダンパーが開示される。本発明のダンパー開閉器は、ダンパーの複数個のブレードを開閉させるダンパー開閉器であって、前記ダンパーのダンパー軸が取り付けられ、前記ダンパー軸と共に回転する回転部、前記回転部を回転させるための動力を提供する駆動部、前記ブレードの閉鎖動作時、前記駆動部にかかる負荷を測定し、測定された負荷が予め設定された値以上であれば、前記駆動部に供給される電力を遮断する制御部を含む。【選択図】図５
2018524552.tif 000002
【特許請求の範囲】
【請求項１】
ダンパーの複数個のブレードを開閉させるダンパー開閉器において、
前記ダンパーのダンパー軸が取り付けられ、前記ダンパー軸と共に回転する回転部；
前記回転部を回転させるための動力を提供する駆動部；および
前記ブレードの閉鎖動作時、前記駆動部にかかる負荷を測定し、測定された負荷が予め設定された値以上であれば、前記駆動部に供給される電力を遮断する制御部を含むことを特徴とする、ダンパー開閉器。
【請求項２】
前記制御部は、前記ブレードの閉鎖動作時、前記駆動部にかかる負荷が前記予め設定された値未満であれば、前記駆動部に供給される電力を持続的に維持することを特徴とする、請求項１に記載のダンパー開閉器。
【請求項３】
前記駆動部にかかる負荷は、前記駆動部で消耗される電流の大きさを示し、前記予め設定された値は、前記駆動部の最大許容電流の大きさに対する一定割合に設定されることを特徴とする、請求項１に記載のダンパー開閉器。
【請求項４】
前記回転部は、前記ダンパー軸が挿入される挿入孔が形成される回転軸；および、前記回転軸の周りに結合される回転プレートを含むことを特徴とする、請求項１に記載のダンパー開閉器。
【請求項５】
前記回転軸を挟んで両側に位置する一対の光センサを構成されるセンサ部をさらに含み、
前記回転軸には、前記挿入孔と交差する方向に貫通孔が形成され、
前記センサ部は、前記貫通孔が前記一対の光センサと並んで配置されると電気的な信号を生成し、
前記制御部は、前記センサ部から前記電気的な信号を受信すると前記駆動部に供給される電力を遮断することを特徴とする、請求項４に記載のダンパー開閉器。
【請求項６】
前記回転軸に前記ダンパー軸が挿入されて前記貫通孔が塞がると、前記貫通孔が前記一対の光センサと並んで配置されても電気的な信号を生成しないことを特徴とする、請求項５に記載のダンパー開閉器。
【請求項７】
前記回転プレートの回転軌跡上に位置し、前記ブレードの開放動作時、前記回転プレートの一端部と接触すると電気的な信号を生成するリミットスイッチをさらに含み、
前記制御部は、前記ブレードの開放動作時、前記リミットスイッチから前記電気的な信号を受信すると前記駆動部に供給される電力を遮断することを特徴とする、請求項４に記載のダンパー開閉器。
【請求項８】
前記ダンパー軸を前記回転軸に対して固定するためのクランプをさらに含み、前記クランプは、前記回転軸の一端部に締結されるクランピング治具；および、前記クランピング治具に取り付けられ、前記回転軸を前記クランピング治具に対して固定するクランピング環を含むことを特徴とする、請求項４に記載のダンパー開閉器。
【請求項９】
前記クランプは、前記クランピング治具が前記回転軸から抜けないように前記クランピング治具を前記回転軸に対して固定するスナップリングをさらに含み、前記回転軸の一端部には、前記回転軸の長手方向に引き入れられる治具溝、および前記回転軸の中心方向に引き入れられるスナップリング溝が形成され、前記クランピング治具は、前記回転軸の周りを取り囲む環状部、および前記環状部の内側に突出して前記治具溝に安着する治具突起を含み、
前記スナップリングは、前記クランピング治具が前記回転軸の一端部に安着した状態で前記スナップリング溝に挿入されることを特徴とする、請求項８に記載のダンパー開閉器。
【請求項１０】
請求項１によるダンパー開閉器を含むことを特徴とする、ダンパー。
【発明の詳細な説明】
【技術分野】
【０００１】
本発明は、日常で空気調和用に用いられる空調ダンパー、火災状況で消防用に用いられる排煙ダンパーなどのダンパーに取り付けられ、ダンパーのブレードを自動で開閉させるためのダンパー開閉器に関する。
【背景技術】
【０００２】
図１は、通常の除煙システムを概略的に示した系統図である。
【０００３】
図１に示されたように、一般に、建物内部には、火災発生時に非常通路や階段のような避難区域に煙や有毒ガスなどが拡散することを防止するために、除煙設備システム１が設けられる。このとき、除煙設備システム１は、消火活動設備の一つであって、火災時に発生した煙および有毒ガスを効果的に排出させ、消火活動に障害となる煙を除去する設備システムをいう。このような除煙設備システム１は、排煙送風機３、給気送風機４、排煙ダクト５、給気ダクト６、排煙ダンパー１０、給気ダンパー２０の他にも、排出器、防火ダンパー、空気流入口などで構成されている。
【０００４】
特に、既存の除煙設備システム１の構成のうち排煙ダンパー１０は、煙排出のための空気通路である排煙ダクト５に連結され、高層ビルやアパートの非常階段やエレベーター前室などに設けられ、火災時に発生する煙を排煙送風機３により外部に排出させて、火災の初期鎮圧、燃焼拡大、人命被害などを予防または防止するために重要な役割をする。
【０００５】
火災の発生時、火災区域Ａの排煙ダンパー１０のブレード（羽根）を開放して排煙送風機３により煙を外部に排出しなければならないが、このためには、火災区域Ａの排煙ダンパー１０だけが開放されていなければならない。言い換えれば、非火災区域Ｂに設けられた排煙ダンパー１０のブレードは完全な閉鎖状態を維持しなければならない。即ち、非火災区域Ｂで排煙ダンパー１０のブレードが完全に気密な状態を維持して初めて排煙送風機３が火災区域Ａ内の煙および有害ガスを吸い込んで円滑に建物の外部に排出できるからである。
【０００６】
図２は、通常の排煙ダンパーのブレードの構造を説明するための概略図である。
【０００７】
図２に示されたように、上述したような用途に用いられる排煙ダンパー１０は、ブレード１１の配列構造が水平に構成されている。より具体的に、排煙ダンパー１０は、多数個のブレード１１の両端がブレード１１間に互いに噛み合うように（ヒンジ式）凹に形成されており、そこで、連結ヒンジ１７が形成された連結リンク台１９により中央のダンパー軸１３が回転すれば、残りのブレード１１と連結された連結ヒンジ１７によって回転支持軸１５がともに回転するようになる構造である。即ち、排煙ダンパー１０は、中央のダンパー軸１３が回転する場合、まるでドミノ現象のように、連結リンク台１９上で中央のダンパー軸１３と連結された連結ヒンジ１７により連鎖的に左右の残りの連結ヒンジ１７が動き、排煙ダンパー１０のブレード１１の開閉を調節するように構成されている。
【０００８】
ところが、このような原理で作動する排煙ダンパー１０は、排煙ダンパー１０の中央のダンパー軸１３がダンパー開閉器１００内に取り付けられ、多数個のブレード１１を気密に閉鎖状態で固定させて排煙ダクト５に設けた後に、初期電源投入時、排煙ダンパー１０に取り付けられたダンパー開閉器１００により回転運動することとなる。このとき、ブレード１１が開いてから閉じられながら排煙ダンパー１０の構造の特性上および使用上発生するブレード１１漏気隙間の欠陥によりブレード１１間の閉鎖状態が正確になされず、建物内の除煙設備が正しく作動できない実情である。
【０００９】
また、排煙ダンパー１０の中央のダンパー軸１３と回転支持軸１５との間の距離が離れるほど、回転支持軸１５と連結された複数個のブレード１１を中央のダンパー軸１３の動きだけで調節するには困難があり、排煙ダンパー１０自体の機械的な遊隔が生じて根源的に３〜５％の漏気隙間を持つようになる問題点がある。
【００１０】
一方、前記のような問題点は、火災状況で消防用に用いられる排煙ダンパーあるいは除煙ダンパーにのみ限定されるものではなく、日常で空気調和用に用いられる空調ダンパーあるいは空気調和用ダンパーを含めてブレード開閉構造を有する様々な種類のダンパーで発生するものである。
【先行技術文献】
【特許文献】
【００１１】
【特許文献１】韓国登録実用新案第２０−０４２３３３２号公報
【発明の概要】
【発明が解決しようとする課題】
【００１２】
本発明の目的は、ブレード開閉構造を有するダンパーに取り付けられ、ダンパーのブレード間の隙間を充実に遮蔽して気密性を維持するダンパー開閉器およびそれを含むダンパーを提供することである。
【課題を解決するための手段】
【００１３】
前記目的は、本発明によって、ダンパーの複数個のブレードを開閉させるダンパー開閉器において、前記ダンパーのダンパー軸が取り付けられ、前記ダンパー軸と共に回転する回転部；前記回転部を回転させるための動力を提供する駆動部；および、前記ブレードの閉鎖動作時、前記駆動部にかかる負荷を測定し、測定された負荷が予め設定された値以上であれば、前記駆動部に供給される電力を遮断する制御部を含むことを特徴とするダンパー開閉器およびそれを含むダンパーにより達成される。
【００１４】
好ましくは、前記制御部は、前記ブレードの閉鎖動作時、前記駆動部にかかる負荷が前記予め設定された値未満であれば、前記駆動部に供給される電力を持続的に維持する。
【００１５】
好ましくは、前記駆動部にかかる負荷は、前記駆動部で消耗される電流の大きさを示し、前記予め設定された値は、前記駆動部の最大許容電流の大きさに対する一定割合に設定される。
【００１６】
好ましくは、前記回転部は、前記ダンパー軸が挿入される挿入孔が形成される回転軸；および、前記回転軸の周りに結合される回転プレートを含む。
【００１７】
好ましくは、前記ダンパー開閉器は、前記回転軸を挟んで両側に位置する一対の光センサを構成されるセンサ部をさらに含み、さらに好ましくは、前記回転軸には、前記挿入孔と交差する方向に貫通孔が形成され、前記センサ部は、前記貫通孔が前記一対の光センサと並んで配置されると電気的な信号を生成し、前記制御部は、前記センサ部から前記電気的な信号を受信すると前記駆動部に供給される電力を遮断する。
【００１８】
好ましくは、前記回転軸に前記ダンパー軸が挿入されて前記貫通孔が塞がると、前記貫通孔が前記一対の光センサと並んで配置されても電気的な信号を生成しない。
【００１９】
好ましくは、前記ダンパー開閉器は、前記回転プレートの回転軌跡上に位置し、前記ブレードの開放動作時、前記回転プレートの一端部と接触すると電気的な信号を生成するリミットスイッチをさらに含み、前記制御部は、前記ブレードの開放動作時、前記リミットスイッチから前記電気的な信号を受信すると前記駆動部に供給される電力を遮断する。
【００２０】
好ましくは、前記ダンパー開閉器は、前記ダンパー軸を前記回転軸に対して固定するためのクランプをさらに含み、さらに好ましくは、前記クランプは、前記回転軸の一端部に締結されるクランピング治具；および、前記クランピング治具に取り付けられ、前記回転軸を前記クランピング治具に対して固定するクランピング環を含む。
【００２１】
好ましくは、前記クランプは、前記クランピング治具が前記回転軸から抜けないように前記クランピング治具を前記回転軸に対して固定するスナップリングをさらに含み、前記回転軸の一端部には、前記回転軸の長手方向に引き入れられる治具溝、および前記回転軸の中心方向に引き入れられるスナップリング溝が形成され、前記クランピング治具は、前記回転軸の周りを取り囲む環状部、および前記環状部の内側に突出して前記治具溝に安着する治具突起を含み、前記スナップリングは、前記クランピング治具が前記回転軸の一端部に安着した状態で前記スナップリング溝に挿入される。
【発明の効果】
【００２２】
本発明は、ブレードが閉鎖動作時、駆動部にかかる負荷が予め設定された値になるまでダンパー軸を回転させることで、ダンパーブレード間の漏気面積を最小化して気密性を高める効果がある。
【００２３】
また、本発明は、ブレードが閉鎖動作時、駆動部に印加される負荷の最大値が予め設定された値以上である場合、駆動部に印加される駆動電流を遮断されるように設定されることで、過負荷によるモータの故障発生を防ぐだけでなく、不要な電力を消耗せずエネルギーを節減することができる。
【００２４】
また、本発明は、ダンパー軸が取り付けられていない状態で光センサによりダンパーブレードの回転角度を制限することで、本発明のダンパー開閉器をダンパーに取り付ける前に本発明のダンパー開閉器の駆動状態または故障有無が予め分かり、製品の信頼性を向上させることができる。
【図面の簡単な説明】
【００２５】
【図１】通常の除煙システムを概略的に示した系統図である。
【図２】通常の排煙ダンパーのブレードの構造を説明するための概略図である。
【図３】本発明の一実施例に係るダンパー開閉器が排煙ダンパーに設けられた状態を示す正面図である。
【図４】本発明の一実施例に係るダンパー開閉器が排煙ダンパーに設けられた状態を示す背面図である。
【図５】本発明の一実施例に係るダンパー開閉器の構成を説明するための構成図である。
【図６】本発明の一実施例に係るダンパー開閉器の構成を説明するためのブロック図である。
【図７】本発明の一実施例に係るダンパー開閉器の概略的な斜視図である。
【図８】本発明の一実施例に係るダンパー開閉器をダンパーに取り付ける過程でダンパーの軸をダンパー開閉器の回転軸に固定するクランプを説明するための斜視図である。
【発明を実施するための形態】
【００２６】
本発明の利点および／または特徴、そして、それらを達成する方法は、添付の図面と共に詳細に後述されている実施例を参照すれば明確になるだろう。しかし、本発明は、以下において開示される実施例に限定されるものではなく、互いに異なる様々な形態で具現され、単に、本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。明細書全体にわたって同一の参照符号は、同一の構成要素を指す。
【００２７】
以下においては、火災状況で消防用に用いられる排煙ダンパーに適用される本発明のダンパー開閉器を一実施例として説明する。ただ、本発明のダンパー開閉器は、排煙ダンパーあるいは除煙ダンパーにのみ適用されることに限定されず、日常で空気調和用に用いられる空調ダンパーあるいは空気調和用ダンパーを含めてブレード開閉構造を有する様々な種類のダンパーに適用され得ることはもちろんである。
【００２８】
図３および図４は、本発明の一実施例に係るダンパー開閉器が排煙ダンパーに設けられた状態を示す正面図および背面図である。
【００２９】
図３および図４に示されたように、本発明に係るダンパー開閉器１００は、複数個のブレード１１を開閉させるために排煙ダンパー１０の一側に設けられ、排煙ダンパー１０の中央に位置したダンパー軸１３と連結され、ダンパー軸１３を回転させてブレード１１の開閉程度を調節することができる。
【００３０】
また、本発明のダンパー開閉器１００が排煙ダンパー１０に取り付けられた場合、ブレード１１間の作動原理を検討すると、本発明のダンパー開閉器１００が中央のダンパー軸１３を回転させてダンパー軸１３と連結された連結ヒンジ１７を動かすが、このとき、連結リンク台上に設けられた連結ヒンジ１７同士で互いに連結されているので、ダンパー軸１３と連結された連結ヒンジ１７が一つだけ動いても残りの回転支持軸１５と連結された連結ヒンジ１７が引き続き動くように設けられており、多数個のブレード１１が開くか、閉じられ得る。
【００３１】
これは、排煙ダンパー１０に本発明のダンパー開閉器１００を一側に設けてダンパー軸１３を回転するようにすることで、ブレード１１間の隙間を完全に遮蔽し、火災によって発生した煙が非火災区域に拡散することを防止することができる。
【００３２】
また、本発明のダンパー開閉器１００は、火災発生時に生じる煙移動力（煙突効果、浮力、膨張、風など）から発生する圧力を考慮して排煙ダンパー１０に適用され得る。
【００３３】
このように、本発明に係るダンパー開閉器１００により排煙ダンパー１０のブレード１１は開閉され得、火災区域Ａ内の煙だけを排出できるように非火災区域Ｂ内のブレード１１を完全に遮蔽するためのダンパー開閉器１００の構成を以下において詳細に説明する。
【００３４】
図５および図６は、本発明の一実施例に係るダンパー開閉器の構成を説明するための構成図およびブロック図である。
【００３５】
本発明に係るダンパー開閉器１００は、図５に示されたように、排煙ダンパー１０のダンパー軸１３に取り付けられ、ダンパー軸１３と共に回転する回転部１１０と、回転部１１０を回転させるための動力を提供する駆動部１２０、およびブレード１１の閉鎖動作時、駆動部１２０にかかる負荷を測定し、測定された負荷が予め設定された値以上であれば、駆動部１２０に供給される電力を遮断する制御部１３０を含むことができる。
【００３６】
回転部１１０は、ブレード１１の開放動作または閉鎖動作が遂行されるようにするために、駆動部１２０から回転動力の伝達を受けてダンパー軸１３を回転させることができる構成を有する。
【００３７】
また、回転部１１０は、ダンパー軸１３が挿入される挿入孔１１１が形成される回転軸１１２、および回転軸１１２の周りに結合される回転プレート１１３を含むことができる。
【００３８】
具体的には、回転軸１１２の挿入孔１１１には排煙ダンパー１０の中央に位置したダンパー軸１３が挿入されるので、そこで、回転軸１１２とダンパー軸１３が一体に結合され、回転軸１１２の回転によりダンパー軸１３が回転できる。即ち、回転軸１１２は、ダンパー軸１３が挿入され得る中空の形態で設けられ得る。
【００３９】
このとき、回転部１１０の回転軸１１２が時計回りに回転する場合は、ブレード１１が閉鎖動作を遂行する場合であり、反時計回りに回転する場合は、ブレード１１が開放動作を遂行する場合である。
【００４０】
回転プレート１１３は、回転軸１１２の円周方向の一部に設けられ、回転軸１１２を回転させるように回動できる。即ち、回転プレート１１３は、駆動部１２０の動力の伝達を受けて回動でき、回転プレート１１３の回転により回転軸１１２が回転してブレード１１を開閉させることができる。
【００４１】
このとき、本発明に係るダンパー開閉器１００は、駆動部１２０の動力を回転部１１０に伝達するために減速ギヤボックス８０をさらに含むことができる。減速ギヤボックス８０は、駆動部１２０の動力の伝達を受けてギヤ軸８１を回動させることができ、ギヤ軸８１は、回転プレート１１３と噛み合うように形成され、ギヤ軸８１の作動により回転プレート１１３は回転できる。
【００４２】
回転プレート１１３の末端は、歯車で形成され、減速ギヤボックス８０のギヤ軸８１の歯車と互いに噛み合い、ギヤ軸８１が駆動部１２０の動力により回転することで、回転プレート１１３は、時計回りまたは反時計回りに回動できる。
【００４３】
このとき、減速ギヤボックス８０のギヤ軸８１は、５段減速ギヤで設けられ、ギヤ軸８１を作動させるのに必要な電力を節減されるようにすることができる。参考までに、減速ギヤボックス８０は、平板型のパネルであって、ブレード１１のダンパー軸１３を回転させるために各種のギヤおよびギヤ軸８１を組み合わせて配置するための構成である。
【００４４】
駆動部１２０は、前述したように、回転部１１０が回転できるように動力を提供でき、モータにより具現され得る。結果として、駆動部１２０は、ダンパー軸１３が回転できるようにする。
【００４５】
具体的に、駆動部１２０は、減速ギヤボックス８０のギヤ軸８１を回転させ、ギヤ軸８１と噛み合った回転プレート１１３を回転させることができる。次いで、回転軸１１２に設けられた回転プレート１１３が回転するとき、回転軸１１２の挿入孔１１１にはダンパー軸１３が挿入されているので、ブレード１１が開閉され得る。
【００４６】
制御部１３０は、駆動部１２０に設けられたモータのトルクを測定し、測定されたトルクによる駆動負荷を感知し、駆動電流をギヤ軸８１に印加して回転プレート１１３を回転させることができる。
【００４７】
制御部１３０は、前述したように、ブレード１１の閉鎖動作時、駆動部１２０にかかる負荷を測定し、測定された負荷が予め設定された値以上であれば、駆動部１２０に供給される電力を遮断することができる。
【００４８】
即ち、ブレード１１の閉鎖動作時、駆動部１２０にかかる負荷が予め設定された最大許容電流の大きさ未満であれば、駆動部１２０に供給される電力を持続的に維持することができる。
【００４９】
このとき、駆動部１２０にかかる負荷は、駆動部１２０で消耗される電流の大きさを示し、予め設定された値は、駆動部１２０の最大許容電流の大きさに対する一定割合に設定され得る。
【００５０】
即ち、制御部１３０は、駆動部１２０の駆動負荷により印加される最大許容電流の大きさによって電流の大きさを予め設定することができる。参考までに、制御部１３０は、駆動電流の許容範囲内の限界値で約８０％の駆動電流が印加されるように制御することができる。
【００５１】
従って、駆動負荷が予め設定された値以上であれば、駆動部１２０に印加される駆動電流を直ちに遮断させるか、一定時間が経過したにもかかわらず負荷値が落ちない場合、遮断されるように設定することで不要な電力を消耗しない効果がある。
【００５２】
また、駆動負荷が予め設定された値未満であれば、駆動部１２０に印加される駆動電流を設定された値まで持続的に維持させてブレード１１を完全に遮蔽できるようにする。前記のような場合に、仮にブレード１１に異物が入るか、または機械的な遊隔により漏気隙間が発生しても、制御部１３０が駆動部１２０に印加される駆動電流を設定された値まで持続的に維持させることで、ブレード１１間の隙間を減らし、気密性を高めることができる。
【００５３】
本発明に係るダンパー開閉器１００は、制御部１３０により予め設定された値によって駆動電流が印加されることで、前記のような構成によって電力消耗を節減すると同時に漏気量を減少させることができる。
【００５４】
一方、図６に示されたように、本発明に係るダンパー開閉器１００の駆動部１２０に供給される電力は、駆動部１２０が設けられたＰＣＢ基板５５内の端子台５０が建物の各層または地下に設けられた受電盤４０のバッテリーと有線で連結され得る。このとき、受電盤４０への電力供給は、外部に設けられた電源設備３０により供給され得る。参考までに、電源設備とは、受変電設備、非常予備保安用自家用発電設備、同蓄電池設備などの総称である。
【００５５】
一方、本発明に係るダンパー開閉器１００は、回転プレート１１３の回転軌跡上に位置し、ブレード１１の開放動作時（反時計回りに回転時）に回転プレート１１３の一端部と接触すると電気的な信号を生成するリミットスイッチ１１６をさらに含むことができる。
【００５６】
図６に示されたように、リミットスイッチ１１６は、ブレード１１の開放動作を停止させるための構成であり、回転プレート１１３の一端部に接触して電気的な信号を生成することができる。このような信号は、制御部１３０に送信されて駆動部１２０の動力を遮断する。
【００５７】
ブレード１１の開放動作時、回転軸１１２は反時計回りに回転し、回転プレート１１３の一端部がリミットスイッチ１１６に接触することとなる。そこで、ブレード１１は、最大開放状態となり得る。
【００５８】
一方、本発明に係るダンパー開閉器１００は、回転プレート１１３の長手方向の一端または他端が予め設定された角度だけ回動するかをテストするために、回転軸１１２を挟んで両側に位置する一対の光センサ１１５ａを構成されるセンサ部１１５をさらに含むことができる。即ち、ダンパー軸１３が挿入孔１１１に取り付けられる前に一対の光センサ１１５ａが互いに交信し、本発明に係るダンパー開閉器１００の作動に対する異常有無を点検することができる。
【００５９】
センサ部１１５は、一対の光センサ１１５ａで構成され得、一対の光センサ１１５ａは、回転部１１０の回転軸１１２を挟んで互いに向かい合うように配置され得る。即ち、一対の光センサ１１５ａは、回転軸１１２が設けられた排煙ダンパー１０の下部ケーシング７０側に設けられ得る。
【００６０】
参考までに、センサ部１１５は、光センサ１１５ａで構成されることが好ましいが、これに限定されるものではなく、物体の動きを感知できる様々な公知のセンサで具現され得る。
【００６１】
ここで、回転軸１１２には、一対の光センサ１１５ａが互いに交信できるように貫通孔１１４が形成され得る。
【００６２】
即ち、回転軸１１２には、挿入孔１１１と交差する方向に貫通孔１１４が形成され、ブレード１１の閉鎖動作時に、センサ部１１５は、貫通孔１１４が一対の光センサ１１５ａと並んで配置されると電気的な信号を生成することができる。そこで、図６に示されたように、センサ部１１５は、制御部１３０に電気的な信号を送信して駆動部１２０に供給される電力を遮断することができる。
【００６３】
言い換えれば、センサ部１１５は、回転軸１１２にダンパー軸１３が挿入されて貫通孔１１４が塞がると、貫通孔１１４が一対の光センサ１１５ａと並んで配置されても電気的な信号を生成しないように設けられ得る。
【００６４】
従って、回転軸１１２にダンパー軸１３が取り付けられていない状態でのみ作動するように設けられた一対の光センサ１１５ａは、回転軸１１２の貫通孔１１４と一直線上にアラインされた場合にのみ互いに交信が可能であることで、回転プレート１１３の作動状態を確認するだけでなく、故障有無を確認することができ、装置自体の信頼度が向上し得る。
【００６５】
図７は、本発明の一実施例に係るダンパー開閉器の概略的な斜視図である。
【００６６】
図７に示されたように、本発明に係るダンパー開閉器１００は、内部に構成要素の支持または保護のために上部ケーシング６０、下部ケーシング７０がさらに設けられ得る。このとき、上部ケーシング６０および下部ケーシング７０の間には、上部ケーシング６０および下部ケーシング７０を相互連結するようにする支持台６５がさらに設けられ得る。このとき、上部ケーシング６０または下部ケーシング７０と支持台６５との間の結合は、ボルト結合が好ましいが、これに限定しない。
【００６７】
上部ケーシング６０には、曲線形態のホールを有し、ホールは、回転部１１０の固定または作動位置を作業者により火災発生時に手動で変更可能であるように取っ手またはレバーがさらに形成され得るが、その形態および位置を限定しない。
【００６８】
下部ケーシング７０には、本発明の端子台５０、ＰＣＢ基板５５、リミットスイッチ１１６、減速ギヤボックス８０、一対の光センサ１１５ａおよび駆動部１２０が設けられることが好ましいが、構成要素の役割をする範囲内でその位置を限定しない。
【００６９】
図８は、本発明の一実施例に係るダンパー開閉器をダンパーに取り付ける過程でダンパーの軸をダンパー開閉器の回転軸に固定するクランプを説明するための斜視図である。
【００７０】
図８に示されたように、本発明に係るダンパー開閉器１００は、ダンパー軸１３を回転軸１１２に対して固定するためのクランプ１５０をさらに含むことができる。
【００７１】
クランプ１５０は、ダンパー軸１３が回転軸１１２の挿入孔１１１に挿入された場合に、ダンパー軸１３が回転軸１１２から分離されないように固定するために設けられ得る。
【００７２】
このとき、クランプ１５０は、回転軸１１２の一端部に締結されるクランピング治具１５１、およびクランピング治具１５１に取り付けられ、回転軸１１２をクランピング治具１５１に対して固定するクランピング環１５５を含むことができる。
【００７３】
クランピング治具１５１は、回転軸１１２からクランプ１５０が分離されないように締結され、クランピング環１５５は、回転軸１１２に挿入されたダンパー軸１３を固定することができる。このとき、クランピング治具１５１とクランピング環１５５との間の結合は、ボルト結合が好ましいが、これに限定しない。
【００７４】
また、クランプ１５０は、クランピング治具１５１が回転軸１１２から抜けないようにクランピング治具１５１を回転軸１１２に対して固定するスナップリング１５７をさらに含むことができる。
【００７５】
このとき、回転軸１１２の一端部には、回転軸１１２の長手方向に引き入れられる治具溝１１２ａ、および回転軸１１２の中心方向に引き入れられるスナップリング溝１１２ｂが形成され得る。
【００７６】
また、クランピング治具は、回転軸１１２の周りを取り囲む環状部１５３、および環状部１５３の内側に突出して治具溝１１２ａに安着する治具突起を含むことができる。
【００７７】
スナップリング１５７は、クランピング治具１５１が回転軸１１２の一端部に安着した状態でスナップリング溝１１２ｂに挿入され得る。
【００７８】
即ち、クランプ１５０は、回転軸１１２に挿入されるダンパー軸１３を固定するようにしてブレード１１の開閉作動を円滑にする。
【００７９】
以上のように、本発明は、限定された実施例と図面により説明されたが、本発明は、前記の実施例に限定されるものではなく、それは、本発明の属する分野における通常の知識を有する者であれば、このような記載から様々な修正および変形が可能である。従って、本発明思想は、下記に記載の特許請求の範囲によってのみ把握されるべきであり、その均等または等価的変形はいずれも本発明思想の範疇に属するといえる。
【産業上の利用可能性】
【００８０】
本発明は、日常で空気調和用に用いられる空調ダンパー、火災状況で消防用に用いられる排煙ダンパーなどのブレード開閉構造を有する様々な種類のダンパーに利用され得る。
【図１】
2018524552.tif 000003
【図２】
2018524552.tif 000004
【図３】
2018524552.tif 000005
【図４】
2018524552.tif 000006
【図５】
2018524552.tif 000007
【図６】
2018524552.tif 000008
【図７】
2018524552.tif 000009
【図８】
2018524552.tif 000010
【国際調査報告】
2018524552.tif 000011
2018524552.tif 000012
2018524552.tif 000013
2018524552.tif 000014